(57)【要約】【課題】本願発明の目的は、電源基板を積極的に冷却して電気素子の機能が低下する弊害をなくすことができる加湿器、または、温度及び湿度を検知するセンサーの誤動作をなくすことができる加湿器を提供すること。【解決手段】本体ケース、前記本体ケース内を床上空間及び床下空間に区画する床部材、液体タンク、液体を加熱する加熱部、前記液体タンクと前記加熱部を連通する液通路、送風ファン及び電源基板を有する加湿器であって、前記送風ファン及び前記電源基板は、前記床下空間に設けられ、前記液通路は、前記床部材より前記床下空間側に凹んでおり、前記送風ファンにより導入される空気は、前記液通路の下方に凹んだ部分及び前記電源基板に当たり、前記加熱部で加熱した加湿空気と混合する構成。【選択図】図７
2010266092.tif 000002
【特許請求の範囲】
【請求項１】
本体ケース、前記本体ケース内を床上空間及び床下空間に区画する床部材、液体タンク、液体を加熱する加熱部、前記液体タンクと前記加熱部を連通する液通路、送風ファン及び電源基板を有する加湿器であって、
前記送風ファン及び前記電源基板は、前記床下空間に設けられ、
前記液通路は、前記床部材より前記床下空間側に凹んでおり、
前記送風ファンにより導入される空気は、前記液通路の下方に凹んだ部分及び前記電源基板に当たり、前記加熱部で加熱した加湿空気と混合することを特徴とする加湿器。
【請求項２】
前記床下空間には温度及び湿度を検知するセンサーを設け、前記送風ファンにより導入される空気は、前記センサーに当たることを特徴とする請求項１に記載の加湿器。
【請求項３】
前記加熱部は、前記床下空間側に凹んでおり、前記床下空間側に凹んでいる加熱部は、仕切壁により前記空気が流れる流路と区切られていることを特徴とする請求項１または請求項２に記載の加湿器。
【請求項４】
前記仕切壁の一部を、前記送風ファンを駆動するモーターの取付板とすることを特徴とする請求項１乃至請求項３のいずれか一項に記載の加湿器。
【発明の詳細な説明】
【技術分野】
【０００１】
本願発明は、加湿器に関し、特に、液通路及び電源基板を有効に冷却し、センサーの加熱による誤検知を防止する加湿器の吸気流路構造に関するものである。
【背景技術】
【０００２】
従来の加湿器の一例を図１２に示す。加湿器１は、ハイブリッド式のものであり、液体タンク２、加湿手段である吸水フィルター３及び送風ファン４等を有してなる。そして、液体タンク２内の水は液通路５に流れ出て、吸水フィルター３の下端に至り、吸水フィルター３に吸い上げられる。
【０００３】
前記送風ファン４が回動されると外気が加湿器１内に導入される。導入された空気は、図示しないヒータ部を通って加熱されるとともに、加熱された空気は吸水フィルター３に当てられ、吸水フィルター３を通過することにより加湿される。その後、加湿空気は排出口６から排出され室内を加湿する。
【０００４】
また、加湿器１には、スイッチ等が配置される操作室７が設けられ、この操作室７内に電気素子が搭載される電源基板８が設けられている（特許文献１参照）。
【０００５】
ところで、上記従来例のものに記載されるように、電源基板８は、ヒータ等の加熱部の熱影響を防止する等のため前記加熱部と区画される操作室７を設け、この操作室７内に設けている。
【０００６】
しかしながら、電源基板８を操作室７内に設けると操作室７の容積を大きくせざるを得ず、加湿器１をコンパクトにする場合の妨げになる。また、電源基板８には発熱するダイオード等の電気素子もあり、操作室７が狭い空間であると発熱する電気素子の熱により電気素子の機能が低下するという恐れを生じる。
【先行技術文献】
【特許文献】
【０００７】
【特許文献１】特許第３７４１１１４号公報
【発明の概要】
【発明が解決しようとする課題】
【０００８】
本発明の目的は、電源基板を積極的に冷却して電気素子の機能が低下する弊害をなくすことができる加湿器、または、温度及び湿度を検知するセンサーの誤動作をなくすことができる加湿器を提供することである。
【課題を解決するための手段】
【０００９】
上記目的を達成するため、本発明は以下の構成を採用する。
【００１０】
請求項１に係る発明では、本体ケース、前記本体ケース内を床上空間及び床下空間に区画する床部材、液体タンク、液体を加熱する加熱部、前記液体タンクと前記加熱部を連通する液通路、送風ファン及び電源基板を有する加湿器であって、前記送風ファン及び前記電源基板は、前記床下空間に設けられ、前記液通路は、前記床部材より前記床下空間側に凹んでおり、前記送風ファンにより導入される空気は、前記液通路の下方に凹んだ部分及び前記電源基板に当たり、前記加熱部で加熱した加湿空気と混合する構成を特徴とする。
【００１１】
請求項２に係る発明では、更に、前記床下空間には温度及び湿度を検知するセンサーを設け、前記送風ファンにより導入される空気は、前記センサーに当たる構成を特徴とする。
【００１２】
請求項３に係る発明では、更に、前記加熱部は、前記床下空間側に凹んでおり、前記床下空間側に凹んでいる加熱部は、仕切壁により前記空気が流れる流路と区切られている構成を特徴とする。
【００１３】
請求項４に係る発明では、更に、前記仕切壁の一部を、前記送風ファンを駆動するモーターの取付板とする構成を特徴とする。
【発明の効果】
【００１４】
請求項１に係る発明では、送風ファン及び電源基板を床下空間に設け、液通路を床部材より床下空間側に凹ませ、送風ファンにより導入される空気を、液通路の下方に凹んだ部分及び電源基板に当て、その後加熱部で加熱した加湿空気と混合することにより、液通路内の水を冷却することができるため、水の温度が上がることにより液通路内での水のオーバーフロー及びミネラルの付着を防止することができる。また、電源基板を冷却することができるため、電気素子の発熱に起因する電気素子の機能の低下を防止することができる。更に、電源基板を床下空間内に配置することにより操作室をコンパクトにすることができ、ひいては加湿器全体をコンパクトにすることができる。
【００１５】
請求項２に係る発明では、床下空間に温度及び湿度を検知するセンサーを設け、送風ファンにより導入される空気をセンサーに当てることにより、請求項１に係る発明の効果に加え、ヒータの加熱によるセンサーの誤感知を防止することができる。
【００１６】
請求項３に係る発明では、加熱部を床下空間側に凹ませるとともに、床下空間側に凹んでいる加熱部を仕切壁により空気が流れる流路と区切ることにより、請求項１または２に係る発明の効果に加え、床下空間を流れる空気が加熱部により加熱される弊害を低減することができる。
【００１７】
請求項４に係る発明では、仕切壁の一部を、送風ファンを駆動するモーターの取付板とすることにより、請求項１ないし３に係る発明の効果に加え、別途、モーターの取付板、或いは仕切壁を設ける必要がなくなるため、その分製造コストを低減することができる。
【図面の簡単な説明】
【００１８】
【図１】本発明の加湿器の全体断面図
【図２】本発明の加湿器の右側面図
【図３】本発明の加湿器の正面図
【図４】本発明の加湿器の背面図
【図５】液体タンク及び蒸気筒等を取り除いた加湿器の平面図
【図６】底部材を取り除いた加湿器の底面図
【図７】底部材を取り除いた状態を斜め下方から見た斜視図
【図８】蓋部材を取り除いた加湿器の平面図
【図９】図８のＡ−Ａ線断面図
【図１０】フロート室に設けられるフロートスイッチの拡大断面図
【図１１】底部材を取り除いた状態を斜め下方から見た他の例の斜視図
【図１２】従来の加湿器の断面図
【実施例】
【００１９】
図１は本発明の加湿器の全体断面図を示し、図２乃至図４及び図８は加湿器の右側面図、正面図、背面図及び平面図を示し、図５は液通路を示す平面図を示し、図６、図７及び図９は床下空間内の構造及び空気の流れを示す図である。
【００２０】
加湿器２０は、本体ケース２１、蓋部材２２及び底部材２３からなる外郭部と、内部に配置される水等の加湿液（以下、水として述べる）を入れる液体タンク３２と、水を加熱し蒸気化するボイラー４０等からなる。
【００２１】
本体ケース２１は、加湿器２０の大部分を構成する部材であり、図５等に示すように正面壁２１ａ、右側面壁２１ｂ、左側面壁２１ｃ及び背面壁２１ｄを有する筒状で且つ断面俵状の樹脂製の部材である。そして、その上方には前記蓋部材２２が開閉自在に取り付けられ、その下方には前記底部材２３が図示しないビスにより取り付けられる。なお、本体ケース２１は、蓋部材２２及び底部材２３と別体のものとして説明するが、３部材を合わせて本体ケース２１と呼んでもよい。
【００２２】
前記本体ケース２１内は、略水平な床部材２４により床上空間２５及び床下空間２６に区画されるとともに、前記床上空間２５は、更に液体タンク３２が設けられる床上領域Ｐと、ボイラが設けられる床上領域Ｑを形成し、前記床下空間２６は、更に液通路が設けられる床下領域Ｒと、ボイラー４０が設けられる床下領域Ｓを形成している。
【００２３】
前記床上領域Ｐと床下領域Ｒとを区画する床部材２４には、水供給部２７、第１液通路２８及び第２液通路２９が床上領域Ｐより床下領域Ｒ側に凹んだ形態で形成される。前記水供給部２７は、液体タンク３２からの水が供給される部分で、棒体２７ａが立設されている。
【００２４】
前記第１液通路２８は、その一端が水供給部２７に連通し、その他端がボイラー４０に連通する液通路であり、水供給部２７の水をボイラー４０に供給する。また、前記第２液通路２９は、その一端が水供給部２７に連通し、その奥にフロートスイッチ３０を有する行き止まりの液通路である。
【００２５】
フロートスイッチ３０の一例を図１０に示す。フロートスイッチ３０は、磁石３０ｂを内蔵したフロート３０ａがリードスイッチ３０ｄを内部に配置した支柱３０ｃに沿って上下動することにより、第２液通路２９内の所定量の水の有無を検知するものである。
【００２６】
具体的には、中空の支柱３０ｃを立設し、この支柱３０ｃの中空部にリードスイッチ３０ｄを配置する。また、支柱３０ｃの外周部に内部に磁石３０ｂを内蔵したフロート３０ａを上下動自在に嵌合するとともに、支柱３０ｃの上方にはビス３０ｇで固定される円形のストッパ部材３０ｆを取り付けてなる。
【００２７】
そして、第２液通路２９内に所定量の水がないフロート３０ａが下方位置にあるときには、リードスイッチ３０ｄが開放し、ボイラー４０に設けられる後記のヒータ４４への通電を遮断し、空焚きを防止する。
【００２８】
前記水供給部２７の上方の床上領域Ｐには液体タンク３２が設けられる。液体タンク３２は、タンク本体３３と、該タンク本体３３の給水用開口に螺着脱自在とされる給水キャップ３４とを有する樹脂製の部材である。そして、給水キャップ３４には、開閉弁３５が付設される。この開閉弁３５は、上下動可能に支持されており、図示しないスプリングによって閉弁方向に付勢されている。
【００２９】
液体タンク３２は、図１に示すように倒立状態で水供給部２７上に載置される。液体タンク３２が水供給部２７上に載置されると、給水キャップ３４の開閉弁３５は水供給部２７の中央に立設する棒体２７ａにより上方へ押し上げられ、開放される。
【００３０】
開閉弁３５が開放すると、液体タンク３２内に空気が導入するとともに、導入した空気量の分だけ内部の水が水供給部２７に流出する。水供給部２７に流出した水は、その後第１液通路２８を経てボイラー４０に至り、液体タンク３２内に空気が導入しなくなる水位まで第１液通路２８、第２液通路２９及び後記の蒸気皿４１内に所定量の水を供給する。
【００３１】
本体ケース２１の外側面には取手３６が設けられ、また、本体ケース２１の右側面壁２１ｂには液体タンク３２内の水量を視認できる透明窓３７（図２）が設けられる。更に、加湿器１の正面壁２１ａには、各種スイッチ等が配置される操作室３８が設けられる。
【００３２】
そして、操作室３８には、電源スイッチ３８ａ、運転モードスイッチ３８ｂ及びタイマスイッチ３８ｃが配置され（図３）、運転モードスイッチ３８ｂを選定することにより、後記の温度及び湿度を検知するセンサー４８の信号によりヒータ４４の温度が制御され、室内の湿度が設定値になるように加湿制御が行われる。なお、図４に示すように加湿器１の背面壁２１ｄにはコネクタ３９が設けられる。
【００３３】
前記床上領域Ｑには、水を加熱する加熱部であるボイラー４０が設けられる。ボイラー４０は、蒸気皿４１、蒸気筒４２及び蒸気キャップ４３を有する。前記蒸気皿４１は、第１液通路２８より供給される所定量の水が供給される。そして、少なくともその底部には水を加熱するヒータ４４が配置され、蒸気皿４１の水を加熱し蒸発させる。また、この蒸気皿４１の部分は、床上領域Ｑより床下領域Ｓ側に凹んだ形態で設けられるとともに、その外周には６個のビス用突起４１ａが一体に形成されており、各ビス用突起４１ａに設けられるビス穴４１ｂに図示しないビスを用いて蒸気皿４１を固定している。
【００３４】
前記蒸気筒４２は、蒸気皿４１の上方に立設される筒状の部材であり、蒸気皿４１の上端部にその下端部が嵌合される形態で取り付けられ、蒸気皿４１で発生した蒸気を上方に導く。また、前記蒸気キャップ４３は、蒸気筒４２の上部に嵌合される部材で、その上面に排気口４５を有し、蒸気皿４１で発生し蒸気筒４２で導かれる蒸気を排気口４５より室内に排出する。
【００３５】
図９に図８のＡ−Ａ線からみた蒸気筒４２等の断面を示す。図９に示すように、蒸気筒４２は、内筒４２ａ及び外筒４２ｂを有し、内筒４２ａと外筒４２ｂとの間には内部空間４２ｃが形成される。
【００３６】
そして、内筒４２ａの下端部は前記蒸気皿４１の上端部に嵌合し、外筒４２ｂの下端部は前記床部材２４に当接する形態で設けられる。更に、内筒４２ａと外筒４２ｂとの間の内部空間４２ｃには四角柱体４２ｄが形成される。この四角柱体４２ｄは、床部材２４から立設する形態で形成され、その内部は床下空間Ｓに開放されるとともに、後記送風ファン５１からの外気が導入される。
【００３７】
この四角柱体４２ｄの上方には、内部空間４２ｃと連通する第１開口４２ｅが設けられる。また、前記内筒４２ａの上方には内部空間４２ｃと内筒４２ａ内とを連通する第２開口４２ｆが設けられており、図に示すように黒塗りの矢印（７）よりの外気は、黒塗りの矢印（８）のように第１開口４２ｅから内部空間４２ｃ内に入り、次いで黒塗りの矢印（９）のように第２開口４２ｆから内筒４２ａ内に入り、内筒４２ａ内を白塗りの矢印（１０）のように上昇する蒸気と混合され、蒸気の温度を下げるとともに適度な温度及び湿度の加湿空気となり、前記排気口４５より室内に供給される。
【００３８】
次いで、本発明の空気の流路構造等について説明する。この流路構造は図６及び図７に示すように床下空間２６の床下領域Ｒ及び床下領域Ｓにかけて形成される。外気を取り入れる吸気口４６は、図２に示すように本体ケース２１の右側面壁２１ｂの中央下方に設けられる。なお、この吸気口４６の内側にはフィルタ４６ａが配置される。
【００３９】
そして、この吸気口４６が開口する領域は、床下領域Ｒであるとともに、床下領域Ｒに凹んで形成される第１液通路２８及び第２液通路２９がある領域であり、吸気口４６からフィルタ４６ａを介して導入される空気は、第１液通路２８及び第２液通路２９の凹んだ部分に当たり、第１液通路２８及び第２液通路２９内の水を冷却し、第１液通路２８及び第２液通路２９内の水がボイラー４０の熱により加熱されオーバーフローする弊害を低減する。また、水温を下げることにより例えばフロート３０ａ部分等へのミネラルの付着を防止し、フロート３０ａ部分を冷やすことで、このフロート３０ａ部分をボイラー４０の近傍に配置することができ、全体をコンパクトにすることができるようになる。
【００４０】
更に、第１液通路２８及び第２液通路２９の凹んだ部分には、支持部材４７が取り付けられるとともに、この支持部材４７には、温度及び湿度を検知することができるセンサー４８が取り付けられており、吸気口４６から導入される空気は、第１液通路２８及び第２液通路内の水を冷却するとともに、前記センサー４８にも当たり、センサー４８をも冷却する。そのため、センサー４８が床下領域Ｒ内の温度により誤動作する弊害を低減することができる。
【００４１】
床下領域Ｒには、電源基板４９が設けられる。その取付位置は、操作室３８と水供給部２７の間であり、操作室３８と略平行に設けられる。なお、この電源基板４９には各種電気素子、例えば、ダイオード、リレー及びトランス等が取り付けられる。ところで、電気素子には発熱するもの、例えばダイオード等があり、何ら熱対策を講じないと電源基板４９の温度が高くなり、電気素子の機能が低下する恐れを生じるが、冷却することによりそのような弊害を低減することができる。本発明は後記するように吸気口４６から導入される空気を電源基板４９に当てこの電源基板４９も冷却している。
【００４２】
前述したようにボイラー４０の蒸気皿４１は、床下領域Ｓに凹まされるとともに、図６に示すように、第１液通路２８及び第２液通路２９の凹んだ部分の左側である背面壁２１ｄ側寄りに配置され、且つその周囲を仕切壁５０で包囲される。この仕切壁５０は例えばＰＰＳからなる耐熱部材であり、蒸気皿４１の床下領域Ｓに凹んだ全体をビス用突起４１ａも含めて略矩形状に包囲しており、熱が外周に伝わるのを極力防止している。そして、この仕切壁５０は、床下領域Ｓを蒸気皿４１がある領域Ｓ１と、加湿器２０の左側面壁２１ｃ側であり前記四角柱体４２ｄが設けられる領域Ｓ２とに区分している。
【００４３】
前記床下領域Ｒには、図６及び図７に示すように、その正面壁２１ａには操作室３８が形成され、操作室３８の背面壁２１ｄ側寄りには該操作室３８と平行に前記電源基板４９が設けられ、更に、電源基板４９と前記仕切壁５０との間には、前記第１液通路２８及び第２液通路が中央寄りに設けられ、送風ファン５１及びモータ５２が左側面壁２１ｃ側寄りに設けられる。なお、送風ファン５１としてシロッコファンが用いられる。
【００４４】
前記送風ファン５１及びモータ５２は、第１液通路２８より左側面壁２１ｃ側に取付板５３を介してお互い反対側に設けられるとともに、取付板５３を左側面壁２１ｃと平行で且つ送風ファン５１を左側面壁２１ｃと取付板５３との間に位置し、モータ５２を第１液通路２８側に位置する形態で取り付ける。
【００４５】
そして、電源基板４９と仕切壁５０とで、床下領域Ｒを第１液通路２８、第２液通路２９及びモータ５２が設けられる領域Ｒ１と、左側面壁２１ｃと取付板５３との間であって送風ファン５１が設けられる領域Ｒ２と、操作室３８と電源基板４９との間の領域Ｒ３に区分される。なお、送風ファン５１が取り付けられる床部材２４は上方に突き出たファン収納部５１ａを形成しており、このファン収納部５１ａ内に送風ファン５１の略半分が収納される形態で取り付けられる。
【００４６】
取付板５３は、電源基板４９の箇所まで延設しておらず、取付板５３と電源基板４９との間には空気が流れる通孔部分５４が設けられており、領域Ｒ１と領域Ｒ２とを連通している。そして、取付板５３は、仕切壁５０と連続する形態で形成されており、仕切壁５０の一部を構成している。このように、送風ファン５１の取付板５３を仕切壁５０の一部として兼用することにより、部品点数を低減することができる。
【００４７】
即ち、前記仕切壁５０は、領域Ｓ１と領域Ｒ１とをほぼ完全に区画するとともに、前記取付板５３は、前記通孔部分５４を除いて領域Ｒ１と領域Ｒ２とをほぼ完全に区画する。そのため、ボイラー４０の熱が領域Ｒ１及び領域Ｓ２に伝わる弊害が防止されることにより、センサー４８の誤検知並びに電源基板４９の電気素子への悪影響が低減されるとともに、吸気口４６からの空気は、領域Ｒ１、通孔部分５４及び領域Ｒ２を経て送風ファン５１に至り、更に領域Ｓ２から四角柱体４２ｄへ流れるという経路が形成されることになる。
【００４８】
なお、電源基板４９は、領域Ｒ２と領域Ｒ３とを一応区画するが完全に区画していない。また、送風ファン５１をシロッコファンとし、該シロッコファンを床部材２４に設けたファン収納部５１ａにその一部収納することにより、送風ファン５１を加湿器の側部である狭い領域Ｒ２に効率的に配置することができる。更に、領域Ｒ２から領域Ｓ２にかけての幅は徐々に狭くされており、送風ファン５１からの空気の流れを早め、四角柱体４２ｄに効率的に送風することができる。
【００４９】
図１１に図７のものの変形例を示す。この例のものは、電源基板４９の吸気口４６側の端部を吸気口４６側に寄せ、平面視で全体を傾斜させるものである。このように電源基板４９を吸気口４６側寄りに傾斜させることにより、吸気口４６から導入され、矢印（３）、（４）のように流れて通孔部分５４に至る空気の流れをより円滑にすることができる。
【００５０】
送風ファン５１による空気の流れについて図７により説明する。送風ファン５１が駆動すると空気は、吸気口４６から矢印（１）、（２）のように介在するフィルタ４６ａにより濾過されて領域Ｒ１に導入される。領域Ｒ１内に導入した空気は、領域Ｒ１に凹んで形成される第１液通路２８及び第２液通路２９に当たり、第１液通路２８及び第２液通路２９内の水を冷却し、第１液通路２８及び第２液通路２９内の水がボイラー４０の熱により加熱されオーバーフローする弊害を低減する。
【００５１】
また、領域Ｒ１内に導入した空気は、センサー４８にも当たり、センサー４８をも冷却する。その結果、センサー４８が領域Ｒ１内の温度により誤動作する弊害を低減する。
【００５２】
更に、領域Ｒ１は、仕切壁５０、取付板５３及び電源基板４９によって区切られているため、空気は矢印（３）のように通孔部分５４方向に向かって流れ、通孔部分５４方向に向かって流れる途中で矢印（４）のように電源基板４９に当たり、電源基板４９に取り付けられている電気素子を冷却する。その結果、電気素子の発熱等により電気素子の機能が低下する弊害を低減する。
【００５３】
その後、空気は通孔部分５４を経て領域Ｒ２に入り、矢印（５）のように送風ファン５１に至り、該送風ファン５１により矢印（６）のように押し出され、次いで、矢印（７）のように四角柱体４２ｄ内に導入される。
【００５４】
その後、図９で示すように、矢印（７）のように四角柱体４２ｄ内に導入した空気は、矢印（８）のように第１開口４２ｅから内部空間４２ｃ内に入り、次いで矢印（９）のように第２開口４２ｆから内筒４２ａ内に入り、内筒４２ａ内を白塗りの矢印（１０）のように上昇する蒸気と混合され、蒸気の温度を下げるとともに適度な温度及び湿度の加湿空気となり、排気口４５より室内に供給される。
【００５５】
ところで、本体ケース２１を右側面壁２１ｂ及び左側面壁２１ｃが円弧状の俵状とすることにより、右側面壁２１ｂと左側面壁２１ｃとの間の中央部に場所を取る送風ファン５１を設けることができるため、加湿器２０の全体をよりコンパクトにすることができる。また、加湿器２０は、その外周の角部に丸みが設けられており、取手３６を持って持ち運びする際、何かに当たったとしても壊れにくく傷が付きにくくなる。
【００５６】
本願発明は、上記実施例の構成に限定されるものではなく、発明の要旨を逸脱しない範囲において適宜設計変更可能であり、例えば、上記説明ではボイラー式の加湿器で説明したが、ハイブリッド式及び超音波発信式のもの等にも適用可能である。
【符号の説明】
【００５７】
２０  加湿器                    ２１  本体ケース
２１ａ  正面壁                  ２１ｂ  右側面壁
２１ｃ  左側面壁                ２１ｄ  背面壁
２２  蓋部材                    ２３  底部材
２４  床部材                    ２５  床上空間
Ｐ，Ｑ  床上領域                ２６  床下空間
Ｒ，Ｓ  床下領域                ２７  水供給部
２７ａ  棒体                    ２８  第１液通路
２９  第２液通路                ３０  フロートスイッチ
３０ａ  フロート                ３０ｂ  磁石
３０ｃ  支柱                    ３０ｄ  リードスイッチ
３０ｆ  ストッパ部材            ３０ｇ  ビス
３２  液体タンク                ３３  タンク本体
３４  給水キャップ              ３５  開閉弁
３６  取手                      ３７  透明窓
３８  操作室                    ３８ａ  電源スイッチ
３８ｂ  運転モードスイッチ      ３８ｃ  タイマスイッチ
３９  コネクタ                  ４０  ボイラー
４１  蒸気皿                    ４１ａ  ビス用突起
４１ｂ  ビス穴                  ４２  蒸気筒
４２ａ  内筒                    ４２ｂ  外筒
４２ｃ  内部空間                ４２ｄ  四角柱体
４２ｅ  第１開口                ４２ｆ  第２開口
４３  蒸気キャップ              ４４  ヒータ
４５  排気口                    ４６  吸気口
４６ａ  フィルタ                ４７  支持部材
４８  温度・湿度センサー        ４９  電源基板
５０  仕切壁                    ５１  送風ファン
５１ａ  ファン収納部            ５２  モータ
５３  取付板                    ５４  通孔部分
【図１】
2010266092.tif 000003
【図２】
2010266092.tif 000004
【図３】
2010266092.tif 000005
【図４】
2010266092.tif 000006
【図５】
2010266092.tif 000007
【図６】
2010266092.tif 000008
【図７】
2010266092.tif 000009
【図８】
2010266092.tif 000010
【図９】
2010266092.tif 000011
【図１０】
2010266092.tif 000012
【図１１】
2010266092.tif 000013
【図１２】
2010266092.tif 000014